(57)【要約】【課題】裏面に収納棚を有する鏡を壁面に対して位置調整可能に取り付けることにより、鏡や収納棚の使い勝手の向上を図ると共に、鏡回りにデザイン的にすっきり感が得られて意匠的価値を向上させ得る鏡の取付構造を提供する。【解決手段】鏡の裏面を位置調整機構を介して壁面に取り付けることにより、その鏡面が壁面に対して所定位置に設定されると共に、該鏡の裏面に壁面との間隙を利用して収納棚を一体的に設けたことを特徴とする。前記位置調整機構は、鏡の裏面が連結された軸を有し、該軸の回動動作により鏡面が壁面に対して所定角度傾斜した状態に設定されたり、鏡の裏面に連結された伸縮可能なアーム部材を有し、該アーム部材の伸縮動作により鏡面が壁面に対し接離して所定位置に設定される。【選択図】　図３
2004049430.tif 000002
【特許請求の範囲】
【請求項１】
壁面に所定の間隙を有して取り付けられる鏡の取付構造であって、
前記鏡の裏面を位置調整機構を介して前記壁面に取り付けることにより、その鏡面が前記壁面に対して所定位置に設定されると共に、該鏡の裏面に前記間隙を利用して収納棚が一体的に設けられていることを特徴とする鏡の取付構造。
【請求項２】
前記位置調整機構は、鏡の裏面が連結された軸を有し、該軸の回動動作によって、前記鏡面が壁面に対して所定角度傾斜した状態に設定されることを特徴とする請求項１に記載の鏡の取付構造。
【請求項３】
前記位置調整機構は、鏡の裏面に連結された伸縮可能なアーム部材を有し、該アーム部材の伸縮動作によって、前記鏡面が壁面に対し接離して所定位置に設定されることを特徴とする請求項１または２に記載の鏡の取付構造。
【請求項４】
前記位置調整機構は、鏡の裏面の上下二箇所に設けられていることを特徴とする請求項１ないし３のいずれかに記載の鏡の取付構造。
【請求項５】
前記収納棚は、鏡の外周縁から外方に突出しない平面視形状に形成されていることを特徴とする請求項１ないし４のいずれかに記載の鏡の取付構造。
【発明の詳細な説明】
【０００１】
【発明の属する技術分野】
本発明は、例えば洗面化粧台や浴室ユニット等における壁面への鏡の取付構造に関する。
【０００２】
【従来の技術】
一般的に、洗面化粧台においては、洗面化粧台の壁面に例えば長方形状の鏡が取り付けられると共に、この鏡の近傍に収納棚が設けられている。従来、この鏡の壁面への取付構造としては、例えば鏡の上下端部を固定金具等を介して直接壁面に固定し、この鏡の側方に収納棚をオープン状態で配置する構造や、鏡を壁面に設けられた収納棚のキャビネットの開き扉や引き扉に固定する構造が知られている。
【０００３】
【発明が解決しようとする課題】
しかしながら、前者の鏡を壁面に直接固定する取付構造にあっては、鏡の位置が壁面の所定位置に特定化されるため、例えば鏡を使用者の好みに応じた所望角度に設定できない等、鏡の使い勝手が劣ると共に、鏡に近接して設けられる収納棚がオープン状態で取り付けられるため、鏡回りのデザイン性がすっきりせず意匠的価値を十分に高めることが難しいという問題点を有している。
【０００４】
また、後者の鏡をキャビネットの扉に固定する取付構造の場合は、扉の可動範囲内で鏡の位置が可変されるため、鏡を所定位置に設定して使用できるものの、扉自体の可動範囲が狭く、使用者の好みに十分に対応することが難しいという問題点を有している。また、この取付構造の場合、収納棚として箱状のキャビネットが使用されるため、壁面に対するスペース的な制約を受け易く、収納棚自体の使い勝手も劣るという問題点を有している。
【０００５】
本発明は、このような事情に鑑みてなされたもので、その目的は、裏面に収納棚を有する鏡を壁面に対して位置調整可能に取り付けることにより、鏡や収納棚の使い勝手の向上を図ると共に、鏡回りにデザイン的にすっきり感が得られて意匠的価値を向上させ得る鏡の取付構造を提供することにある。
【０００６】
【課題を解決するための手段】
かかる目的を達成すべく、本発明のうち請求項１に記載の発明は、壁面に所定の間隙を有して取り付けられる鏡の取付構造であって、前記鏡の裏面を位置調整機構を介して前記壁面に取り付けることにより、その鏡面が前記壁面に対して所定位置に設定されると共に、該鏡の裏面に前記間隙を利用して収納棚が一体的に設けられていることを特徴とする。
【０００７】
このように構成することにより、例えば洗面化粧台の壁面に取り付けられる鏡は、その位置調整機構によって、壁面に対する角度等が所望に調整されつつ取り付けられ、この時、鏡の裏面に一体的に設けた収納棚も鏡の設定と同時に所定位置に設定される。この鏡や収納棚の所望位置への設定で、これらの使い勝手の向上が図れると共に、鏡を位置調整機構を介して壁面に取り付けるだけでよく、取付構造が簡略化されて鏡回りのデザインにすっきり感が得られる。
【０００８】
そして、前記位置調整機構は、請求項２に記載の発明のように、鏡の裏面が連結された軸を有し、該軸の回動動作によって、前記鏡面が壁面に対して所定角度傾斜した状態に設定されることが好ましい。このように構成することにより、位置調整機構として軸が使用されることから、この軸の回動動作によって鏡面を例えば所定角度傾斜できて、鏡の広範囲な位置調整が可能になる。
【０００９】
また、前記位置調整機構は、請求項３に記載の発明のように、鏡の裏面に連結された伸縮可能なアーム部材を有し、該アーム部材の伸縮動作によって、前記鏡面が壁面に対し接離して所定位置に設定されることが好ましい。このように構成することにより、位置調整機構として伸縮可能なアーム部材が使用されることから、アーム部材の伸縮動作によって例えば鏡面を壁面に対して接離させることができて、鏡の一層広範囲な位置調整が可能になる。
【００１０】
また、前記位置調整機構は、請求項４に記載の発明のように、鏡の裏面の上下二箇所に設けられていることが好ましい。このように構成することにより、鏡裏面の二箇所に位置調整機構が設けられていることから、例えば鏡面の角度調整等が容易に行えると共に、位置調整機構自体の構成の簡略化が図れる。
【００１１】
また、前記収納棚は、請求項５に記載の発明のように、鏡面の外周縁から外方に突出しない平面視形状に形成されていることが好ましい。このように構成することにより、収納棚の外形形状が鏡の外周縁から突出しない、例えば半円弧形状等に形成されていることから、鏡を回動させて位置調整した際等に、収納棚の鏡前方からの視認をできるだけ防止できて、鏡回りのデザインに一層すっきり感が得られる。
【００１２】
【発明の実施の形態】
以下、本発明の実施の形態を図面に基づいて詳細に説明する。
図１〜図３は、本発明に係わる鏡の取付構造を洗面化粧台に適用した場合の一実施例を示し、図１がその要部の斜視図、図２がその鏡を裏面上部側から見た斜視図、図３がその平面図である。
【００１３】
図１において、洗面化粧台１は、キャビネット２の上部に人工大理石等によって洗面ボール３ａが一体成型されたカウンター３を有し、このカウンター３の洗面ボール３ａ後方には水栓４が取り付けられている。また、カウンター３の後方上部には、天井壁６を有する壁面としての壁パネル５が、例えば前記キャビネット２に一体的に組み付け配置され、この壁パネル５の表面５ａには収納棚７と鏡８が取り付けられている。
【００１４】
前記収納棚７は、鏡８の左側方に所定間隔で水平状態に取り付けられた上下３枚の棚板７ａを有し、この各棚板７ａは中央先端部が前方側（洗面室側）に突出する平面視で半円弧形状に形成されている。
【００１５】
また、前記鏡８は、その外形形状が正面視で縦長の楕円形状に形成され、その上下端部が前記壁パネル５に位置調整機構９を介して取り付けられることにより、その裏面８ｂが壁パネル５に対して所定の間隙１０を有すると共に、鏡面８ａが壁パネル５の表面５ａに対して所定角度傾斜できるようにして設けられている。この位置調整機構９は、図２及び図３に示すように、板状のアーム部材１１と、このアーム部材１１の前後端部に、軸１２ａ、１３ａがそれぞれ回動自在に設けられた一対の軸受部１２、１３を有し、前端の軸受部１２が鏡８の裏面８ｂの上端部に固定され、後端の軸受部１３が壁パネル５に固定されている。
【００１６】
これにより、前後一対の軸受部１２、１３の軸１２ａ、１３ａで鏡８が壁パネル５に対して図３の矢印イ方向に回動し得るように構成されている。なお、位置調整機構９の各軸受部１２、１３の軸１２ａ、１３ａは、鏡８の所定部位に使用者による所定の操作力（押圧力や引張力）が加わった場合に、所定方向に回動し得るように設定されている。
【００１７】
そして、この鏡８の裏面８ｂには、前記収納棚７とは別体の収納棚１４を形成する例えば３枚の棚板１４ａが所定間隔で一体的に取り付けられている。この収納棚１４の各棚板１４ａは、前記棚板７ａと同様に平面視で半円弧形状に形成されており、その直径側を鏡８の裏面８ｂに固定することにより、中央先端部が前記間隙１０内に突出する状態で、かつ各棚板１４ａの前方からの直接的な視認が防止されるようにして取り付けられている。
【００１８】
なお、棚板１４ａは、前記収納棚７の棚板７ａと略同一高さ位置で、例えば壁パネル５の見切り線１５（図１参照）等に沿って設けることで、洗面化粧台１のデザイン性が高められるが、各棚板１４ａ、７ａの位置を異ならせることで収納棚１４、７の使い勝手の向上等を図ることも勿論可能である。また、図１において、符号１６は、壁パネル５の天井壁６に下方に指向して設けられた照明装置である。
【００１９】
この洗面化粧台１によれば、使用者が例えば鏡８を壁パネル５に対して図３の実線で示すように、その全体を左側に寄せつつ傾斜させて使用する場合は、鏡８を二点鎖線で示す正面位置ａからその幅方向の左端側を後方に所定力で押すことにより、鏡８が位置調整機構９の後端部の軸受部１３の軸１３ａを中心に矢印ロ方向に回動して所定位置に設定される。また、鏡８を壁パネル５に図３の二点鎖線ｂで示すように、その全体を右側に寄せつつ傾斜させて使用する場合は、鏡８を例えば正面位置ａからその幅方向の右端側を後方に所定圧で押すことにより、鏡８が軸受部１３の軸１３ａを中心に矢印ロ方向に回動して所定位置に設定される。
【００２０】
また、図３の正面位置ａから、鏡８を僅かに左側に傾けたい場合は、例えば鏡８の幅方向の右端側を手前に軽く引き、鏡８を軸受部１２の軸１２ａを中心に矢印ハ方向に回動させることにより所定角度位置に設定され、また逆に右側に傾けたい場合は、鏡８の幅方向の左端側を手前に軽く引き、鏡８を軸受部１２の軸１２ａを中心に矢印ハ方向に回動させることにより所定角度位置に設定される。
【００２１】
つまり、鏡８全体を所定角度傾斜させる場合は、位置調整機構９の一対の軸受部１２、１３の軸１２ａ、１３ａをそれぞれ回動させて所定位置に設定し、鏡８自体を正面位置ａや所定角度位置で僅かに傾斜させる場合は、主に前端部の軸受部１２の軸１２ａを回動させて所定位置に設定する。これにより、２つの軸受部１２、１３の各軸１２ａ、１３ａの回動動作で鏡８の壁パネル５に対する角度（位置）を広範囲で調整できることになる。
【００２２】
このように、上記実施例の洗面化粧台１にあっては、鏡８が壁パネル５に対して位置調整機構９によって角度等の位置が調整可能に配置されているため、鏡８の鏡面８ａを使用者の好みに応じた角度等に容易に設定でき、特に、位置調整機構９がアーム部材１１と軸１２ａ、１３ａを有する軸受部１２、１３とで形成されていることから、２つの軸１２ａ、１３ａの回動動作で鏡８の壁パネル５に対する角度や位置を所定に設定できて、鏡８を使用者の好みの所望位置に容易に設定することができる。
【００２３】
また、鏡８の裏面８ｂに収納棚１４が一体的に設けられているため、鏡８側方に配置される収納棚７と併せ、洗面化粧台１の収納棚の棚数を増加できて、各種収納物の収納が可能になると共に、鏡８の裏面８ｂと壁パネル５間に形成されるデッドスペースとしての間隙１０の有効利用が図れる。また、鏡８の裏面８ｂの収納棚１４が側面に開放しているため、鏡８を使用しながらその正面から収納棚１４内の収納物の出し入れや傾斜側の幅が広くなった一方の側面からの収納物の出し入れ等が簡単に行える。これらにより、収納棚１４が一体化された鏡８を所望位置に設定しつつ収納物の出し入れが容易に行える等、鏡８や収納棚１４、７、すなわち洗面化粧台１の使い勝手の向上を図ることが可能になる。
【００２４】
さらに、鏡８の裏面８ｂに設けられる収納棚１４の棚板１４ａが平面視で半円弧形状に形成されているため、この棚板１４ａの鏡８前方からの使用者による直接的な視認を極力防止できて、鏡８回りのデザイン性を高めることができる。また、この棚板１４ａが鏡８の側方に配置される収納棚７の棚板７ａと略同一の曲線形状に形成されているため、壁パネル５部分にすっきりした感覚の収納棚７、１４を形成でき、結果として洗面化粧台１全体の意匠的価値の向上を図ることが可能になる。
【００２５】
またさらに、位置調整機構９が縦長の楕円形状の鏡８の上下端部に設けた一対のアーム部材１１や軸受部１２、１３で形成されているため、構成簡易でかつ最低個数の位置調整機構９で鏡８を所定角度位置に設定できて、安価でデザイン的に優れた洗面化粧台１を得ることが可能になり、例えばシステムバスユニットに一体化される洗面室ユニットの洗面化粧台１等に適用して大きな効果が期待できる。
【００２６】
図４及び図５は、前記洗面化粧台の他の実施例を示す斜視図及び平面図である。以下、上記実施例と同一部位には同一符号を付して説明する。この実施例の特徴は、鏡８の位置を調整する位置調整機構９を例えばパンタグラフ式に形成して、回動かつ伸縮可能に構成した点にある。すなわち、位置調整機構９を４つのアーム部材１７ａ〜１７ｄと、このアーム部材１７ａ〜１７ｄの両端部を連結する４つの軸受部１８〜２１とで構成し、互いに対向する一方の軸受部１８を鏡８の裏面８ｂに固定し他方の軸受部２０を壁パネル５に固定する。
【００２７】
そして、図５に示すように、例えば軸受部１８、２０の軸１８ａ、２０ａの回動動作により鏡８を所定位置に設定すると共に、軸受部１９、２１の軸１９ａ、２１ａの回動動作により該軸受部１９、２１の図の矢印ニ方向への移動で軸受部１８の位置を壁パネル５に対して矢印ホの如く前後方向に移動（接離）させる。これにより、軸受部１８が固定された鏡８が壁パネル５に対して所定角度傾斜したり、あるいは壁パネル５に対して接離され、鏡８を使用者の好みの位置に容易に設定できる。この実施例においても、上記実施例と同様の作用効果が得られる他に、鏡８が壁パネル５に対して大きく接離できることから、鏡８の位置調整範囲が一層広範囲となって、使用者の好みに一層的確に対応できるという作用効果が得られる。
【００２８】
なお、上記各実施例においては、鏡８の上下の位置調整機構９を同一構成としたが、例えば上下一対の位置調整機構９のアーム部材１１、１７ａ〜１７ｄの長さを下端側と上端側で異ならせることにより、鏡８を上下方向に角度調整可能に取り付けることもできるし、例えば位置調整機構９の軸受部にロック機構を設けることで、調整設定された角度を安定かつ確実に維持するように構成することもできる。
【００２９】
また、上記各実施例においては、鏡８が洗面化粧台１の壁パネル５に取り付けられる場合について説明したが、本発明はこれに限定されず、例えば浴室のカウンター上部に取り付けられる鏡や他の適宜に壁面に取り付けられる鏡にも適用することができる。さらに、上記各実施例における位置調整機構９の構成や個数、鏡８の全体形状、収納棚７、１４の棚数や棚板の形状等も一例であって、本発明に係わる各発明の要旨を逸脱しない範囲において適宜に変更することができる。
【００３０】
【発明の効果】
以上詳述したように、請求項１に記載の発明によれば、鏡裏面を位置調整機構を介して壁面に取り付けると共に鏡裏面に壁面との間隙を利用して収納棚が一体的に設けられているため、鏡と収納棚を使用者の好み等に応じた所望位置に容易に設定できて、これらの使い勝手の向上が図れると共に、鏡を位置調整機構を介して壁面に取り付けるだけでよく、鏡の取付構造が簡略化されて鏡回りのデザインにすっきり感が得られ、その意匠的価値を高めることができる。
【００３１】
また、請求項２に記載の発明によれば、請求項１に記載の発明の効果に加え、位置調整機構として軸が使用されるため、この軸の回動動作によって鏡面を例えば所定角度傾斜させて取り付けることができ、鏡を広範囲な位置に調整設定できて、その使い勝手の一層の向上を図ることができる。
【００３２】
また、請求項３に記載の発明によれば、請求項１または２に記載の発明の効果に加え、位置調整機構として伸縮可能なアーム部材が使用されるため、このアーム部材の伸縮動作によって例えば鏡面を壁面に対して接離させることができて、鏡を一層広範囲な位置に調整設定できて、その使い勝手のより一層の向上を図ることができる。
【００３３】
また、請求項４に記載の発明によれば、請求項１ないし３に記載の発明の効果に加え、鏡裏面の二箇所に位置調整機構が設けられているため、例えば鏡面の角度調整を容易に行うことができると共に、位置調整機構自体の構成の簡略化を図ることができて、安価な取付構造を得ることができる。
【００３４】
また、請求項５に記載の発明によれば、請求項１ないし４に記載の発明の効果に加え、収納棚の外形形状が鏡の外周縁から突出しない半円弧形状等に形成されているため、鏡を回動させて所望位置に調整した際等に、収納棚の鏡前方からの視認をできるだけ防止することができて、鏡回りのデザインに一層すっきり感が得られ、その意匠的価値を一層高めることができる等の効果を奏する。
【図面の簡単な説明】
【図１】本発明に係わる鏡の取付構造を適用した洗面化粧台の一実施例を示す斜視図
【図２】同その鏡を裏面上部側から見た斜視図
【図３】同その平面図
【図４】同洗面化粧台の他の実施例を示す図２と同様の斜視図
【図５】同その図３と同様の平面図
【符号の説明】
１・・・・・・・・・洗面化粧台
２・・・・・・・・・キャビネット
３・・・・・・・・・カウンター
３ａ・・・・・・・・洗面ボール
５・・・・・・・・・壁パネル
５ａ・・・・・・・・表面
７・・・・・・・・・収納棚
７ａ・・・・・・・・棚板
８・・・・・・・・・鏡
８ａ・・・・・・・・鏡面
８ｂ・・・・・・・・裏面
９・・・・・・・・・位置調整機構
１０・・・・・・・・間隙
１１・・・・・・・・アーム部材
１２、１３・・・・・軸受部
１２ａ、１３ａ・・・軸
１４・・・・・・・・収納棚
１４ａ・・・・・・・棚板
１７ａ〜１７ｄ・・・アーム部材
１８〜２１・・・・・軸受部
１８ａ〜２１ａ・・・軸
【図１】
2004049430.tif 000003
【図２】
2004049430.tif 000004
【図３】
2004049430.tif 000005
【図４】
2004049430.tif 000006
【図５】
2004049430.tif 000007